(57)【要約】【目的】色ずれが多少悪化してもプリントアウトタイムを優先するモードと、プリントアウトタイムよりも画質を優先するモードをユーザの目的に応じて自由に選択することができる画像形成装置を提供すること。【構成】画像形成手段と、ポリゴンモータと、水平同期信号発生手段と、ポリゴンモータ速度制御手段と、ポリゴンモータ位相制御手段とを有する画像形成装置において、ポリゴンモータの速度制御が所定の速度範囲に達したか否かを判定する速度制御ロック判定手段と、ポリゴンモータ位相制御が所定の位相範囲に達したか否かを判定する位相制御ロック判定手段を備え、画像の書き出しタイミングの決定は、画像形成装置のプリントモードに応じて速度制御ロック判定結果から行うか、或は位相制御ロック判定結果から行うかを選択して決定する。【選択図】      図１
2004306448.tif 000002
【特許請求の範囲】
【請求項１】
画像信号によって変調されたレーザビームで感光体上を走査して画像を形成する画像形成手段と、前記レーザビームを走査するためのポリゴンミラーを回転駆動するポリゴンモータと、ポリゴンミラーにより走査されるビームの走査線上に配した水平同期信号発生手段と、水平同期信号の間隔が所定範囲となるよう制御するポリゴンモータ速度制御手段と、水平同期信号が基準クロックに対し所定位相範囲となるよう制御するポリゴンモータ位相制御手段とを有する画像形成装置において、
ポリゴンモータの速度制御が所定の速度範囲に達したか否かを判定する速度制御ロック判定手段と、ポリゴンモータ位相制御が所定の位相範囲に達したか否かを判定する位相制御ロック判定手段を備え、画像の書き出しタイミングの決定は、画像形成装置のプリントモードに応じて速度制御ロック判定結果から行うか、或は位相制御ロック判定結果から行うかを選択して決定することを特徴とする画像形成装置。
【請求項２】
ポリゴンモータのレディ状態は、ポリゴンモータの速度ロック信号がアクティブとなった時、或はポリゴンモータの位相ロック信号がアクティブとなった時の何れかを画像形成装置のプリントモードに応じて選択することを特徴とする請求項１記載の画像形成装置。
【請求項３】
画像形成装置の画像形成開始タイミングは、ポリゴンモータのレディ状態によって決定することを特徴とする請求項１記載の画像形成装置。
【請求項４】
画像形成装置のプリントモードの指定は、画像形成装置に接続されるホストコンピュータからモード設定することができる請求項１記載の画像形成装置。
【請求項５】
画像形成装置のプリントモードの指定は、画像形成装置が備える操作パネルからモード設定することができる請求項１記載の画像形成装置。
【請求項６】
画像形成装置のプリントモードは、画像形成装置が備える少なくとも２つ以上の給紙口からの給紙口指定によって決定される請求項１記載の画像形成装置。
【請求項７】
画像信号によって変調されたレーザビームで感光体上を走査して画像を形成する画像形成手段と、前記レーザビームを走査するためのポリゴンミラーを回転駆動するポリゴンモータと、ポリゴンミラーにより走査されるビームの走査線上に配した水平同期信号発生手段と、水平同期信号の間隔が所定範囲となるよう制御するポリゴンモータ速度制御手段と、水平同期信号が基準クロックに対し所定位相範囲となるよう制御するポリゴンモータ位相制御手段と、画像形成する以前に記録紙の種類を判別する手段を有する画像形成装置において、
ポリゴンモータの速度制御が所定の速度範囲に達したか否かを判定する速度制御ロック判定手段と、ポリゴンモータ位相制御が所定の位相範囲に達したか否かを判定する位相制御ロック判定手段を備え、画像の書き出しタイミングの決定は、記録紙の種類の判別結果に応じて、速度制御ロック判定結果から行うか、或は位相制御ロック判定結果から行うかを選択し決定することを特徴とする画像形成装置。
【発明の詳細な説明】
【０００１】
【発明の属する技術分野】
本発明は、画像信号によって変調されたレーザビームで感光体上を走査して画像を形成するレーザビームプリンタ等の画像形成装置に関し、特にレーザビームを偏向するための回転多面鏡の回転制御及びプリント開始タイミング制御に関するものである。
【０００２】
【従来の技術】
プリンタの一種であるレーザビームプリンタのレーザ走査部を構成するポリゴンモータは、その回転速度に一定の精度が要求される。
【０００３】
従来、これらのレーザビームプリンタのレーザ走査部を構成するモータの制御は、特開平０９−１８３２５１号「画像形成装置及び画像形成方法」に記載されているように、水平同期信号（以下、ＢＤ信号と記す）の間隔を測定し、その間隔が所定時間となるよう加速信号と減速信号のみでモータの回転速度制御を行うといった、ノイズに強く、且つ、低価格なインタフェースを実現する制御方式がある。
【０００４】
又、特開平１１−２９１５４４号「画像形成装置」に記載されているように、ＢＤ信号の位相が基準クロックと一致するように、加速信号或は減速信号を制御して位相制御（ＰＬＬ制御）を行うといった、特に、複数のレーザ走査部を備えたカラーレーザビームプリンタの色ずれ低減に対して有効な制御方式がある。
【０００５】
これは、各色のレーザ走査部を構成するポリゴンモータを位相制御することによって、各色ポリゴンミラーの面の位相を一致或は所定位相にて制御して、色ずれを低減すべく制御を行うものである。
【０００６】
【発明が解決しようとする課題】
しかしながら、上記画像形成装置は以下のような問題を有している。
【０００７】
１）ポリゴンモータの回転の安定性向上（ジッタ低減）を図るためには、位相制御ゲインを落として位相制御毎のジッタを低減する必要がある。
【０００８】
その場合、ポリゴンモータの起動開始から速度制御ロック状態（速度制御レディ状態）に至り、更には位相制御ロック状態（位相制御レディ状態）に至るまでの時間が長くなり、プリンタ休止状態から１枚プリントするまでの時間（以下、ファーストプリントアウトタイムと記す）が長くなるといった問題がある。
【０００９】
特に、カラーの色ずれ精度を要求しないテキストプリントジョブや紙質の悪いラフ紙等に関しては、ファーストプリントアウトタイムを重視したモードでプリントした方がユーザにとって好ましい。
【００１０】
又、画質を優先するモード、或はファーストプリントアウトタイムを優先するモードをユーザが自由に選択可能とした方がユーザにとって好ましい。
【００１１】
２）又、ポリゴンモータの起動開始から位相制御ロック状態に到達するまでの時間を早めるためには、位相制御ゲインを上げる必要がある。その場合、前述したように位相制御毎にポリゴンモータのジッタが悪化して、副走査方向（記録紙搬送方向）に画像ゆらぎが発生し、画質を悪化させるといった問題がある。
【００１２】
３）更に、ポリゴンモータの起動時のみ位相制御ゲインを上げる方法も考えられるが、この場合は、制御ゲインを複数備えることによるコストアップ、例えば、制御ゲインアンプの追加、或はソフトウエアによるサーボ制御を実現させるための高速プロセッサが必要になるといった、画像形成装置のコストが大幅にアップする問題がある。
【００１３】
本発明は上記問題に鑑みてなされたもので、その目的とする処は、色ずれが多少悪化してもプリントアウトタイムを優先するモードと、プリントアウトタイムよりも画質を優先するモードをユーザの目的に応じて自由に選択することができる画像形成装置を提供することにある。
【００１４】
【課題を解決するための手段】
本発明によれば、ポリゴンモータのレディ状態を待ってプリントを開始する画像形成装置において、ポリゴンモータのレディ状態をポリゴンモータの速度制御ロック信号から判断するか、或はポリゴンモータの位相制御ロック信号から判断するかを選択する手段を設け、ユーザが設定するプリントモードに応じて、前記選択手段を切り換える制御手段を備える。
【００１５】
これによって、各色ごとのポリゴンモータの位相制御を必要としないモード、例えば色ずれによる画質劣化よりも、ファーストプリントアウトタイムの短縮を優先するモードにおいては、ポリゴンモータの速度制御ロック信号がアクティブとなることによってポリゴンモータのレディ状態を判断し、画像形成開始タイミングを決定する。
【００１６】
又、ファーストプリントアウトタイムの短縮よりも、画質を優先するモードにおいては、ポリゴンモータの位相制御ロック信号がアクティブとなるのを待ってポリゴンモータのレディ状態を判断し、画像形成開始タイミングを決定する。
【００１７】
【発明の実施の形態】
以下に本発明の実施の形態を添付図面に基づいて説明する。
【００１８】
＜実施の形態１＞
図１は本発明におけるポリゴンモータの制御回路のブロック図である。
【００１９】
図中、１０は水平同期信号である／ＢＤ信号、１１は波形成形回路、１２は基準となるクロック信号、１３は／ＢＤ信号の間隔をクロック信号ＣＬＫ１２でカウントし、所定の値と比較するとともに、所定の回転数に相当するカウンタ値に対する差を出力する速度ディスクリ回路、１４はＰＬＬの制御周波数を決定するための分周回路で、本実施の形態の場合、１／８とする。これにより、／ＢＤパルスの８パルスに１回の周期にてＰＬＬ制御を行う。これにより、速度制御周期よりＰＬＬ制御周期を落とすことでモータを安定して駆動制御できる。
【００２０】
１５は１／８分周した／ＢＤ信号に対し、クロック信号１２との位相差を比較するとともに、位相差を出力するＰＬＬ回路、１６はＰＬＬ回路のゲイン設定で、例えばこのゲインを１／２に設定すると、ＰＬＬ回路の出力値（位相差）に対して１／２のパルス幅のＰＬＬ制御値として導く。
【００２１】
１７は加速及び減速信号を生成する回路で、速度ディスクリ回路１３及びＰＬＬ制御回路１５の結果から、加速モード区間及び減速モード区間及び中立区間を決定する。
【００２２】
１８，１９は上記加速、減速、中立を決定する信号であり、それぞれ加速モード区間では／ＡＣＣ＝Ｌ，／ＤＥＣ＝Ｈ、減速モード区間では／ＡＣＣ＝Ｈ，／ＤＥＣ＝Ｈ、中立モード区間では／ＡＣＣ＝Ｈ，／ＤＥＣ＝Ｈとなる。
【００２３】
例えば、速度ディスクリ回路１３の演算の結果、所定値に到達していない場合は、その差に応じて加速モード区間（／ＡＣＣ＝Ｌ，／ＤＥＣ＝Ｈ）となり、一方、速度ディスクリ回路１３の演算の結果、所定値を超えた場合は、その差に応じて減速モード区間（／ＡＣＣ＝Ｈ，／ＤＥＣ＝Ｌ）となる。又、所定範囲にある場合は、中立（／ＡＣＣ＝Ｈ，／ＤＥＣ＝Ｈ）区間となり、加速及び減速制御は行わない。
【００２４】
又、ＰＬＬ制御においては、ＰＬＬ制御回路１５で基準であるクロック信号１２との位相差を比較した結果を１６でゲイン倍して、そのパルス幅に応じて加速モード区間（／ＡＣＣ＝Ｌ，／ＤＥＣ＝Ｈ）、減速モード区間（／ＡＣＣ＝Ｈ，／ＤＥＣ＝Ｌ）、中立区間（／ＡＣＣ＝Ｈ，／ＤＥＣ＝Ｈ）を決定する。
【００２５】
例えば、ＰＬＬ制御回路１５において、／ＢＤパルス１０のエッジと基準クロック１２のエッジとの位相差が１０ｍｓであるとすると、その位相差はゲイン１６で１／２され、５ｍｓ幅の位相差信号となり、加速、減速制御回路１７において、５ｍｓ幅で加速制御区間（／ＡＣＣ＝Ｌ，／ＤＥＣ＝Ｈ）が設定される。
【００２６】
２０は速度ディスクリ回路の演算の結果、／ＢＤ間隔が所定間隔範囲にあった場合に出力されるＤ＿ｒｅａｄｙ  信号、２１はＰＬＬ制御回路の演算の結果、位相差が所定範囲にあった場合に出力される  ＰＬＬ＿ｒｅａｄｙ信号、２２はプリントモードに応じて操作されるＭＯＤＥ信号、２３は前記プリントモード信号２２によってＤ＿ｒｅａｄｙ  信号２０或はＰＬＬ＿ｒｅａｄｙ  信号２１を切り換えるための回路、２４はポリゴンモータレディを意味するＲＥＡＤＹ信号である。
【００２７】
次に、図２を用いてポリゴンモータの回路ブロック図について説明する。
【００２８】
図中、３１は／ＡＣＣ信号、３２は／ＤＥＣ信号、３３はチャージポンプ回路、３４はチャージポンプ回路のチャージ電流を決定するための抵抗、３５は積分回路、３６はＰＷＭコンパレータ、３７はドライバ回路、３８はホールアンプ、３９はホール素子、４０はカレントリミット回路、４１は電流検出抵抗、４２は三相モータである。
【００２９】
次に、動作について説明する。
【００３０】
図１で説明したポリゴンモータ制御回路によって、／ＡＣＣ信号３１及び／ＤＥＣ信号３２に加速モード指示がなされると、その区間においてチャージプンプ回路３３は、抵抗Ｒ１（３４）で決定した電流を積分回路３５に対しチャージする。
【００３１】
一方、／ＡＣＣ信号３１及び／ＤＥＣ信号３２により減速モード指示がなされると、その区間において、チャージプンプ回路３３は、積分回路３５から電流をディスチャージする。その結果、積分回路３５によって得られた電圧は、ＰＷＭコンパレータ３６で比較され、電圧に応じたＰＷＭパルス信号を生成する。
【００３２】
ドライバ回路３７は、ＰＷＭパルスに応じて出力段のトランジスタ（図示せず）をオン／オフさせる。
【００３３】
このとき、ドライバ回路３７は、予めモータに備えたマグネットの極性をホール素子３９及びホールアンプ３８を経て検出し、その結果に基づき所望のモータコイルに対して所望の方向にて電流を流すスイッチング制御を行う。
【００３４】
一方、モータコイルを流れた電流は、電流検出抵抗４１に流れ、カレントリミット回路４０によって、所定値以上の電流がモータコイルに流れないよう制御する。
【００３５】
次に、図３を用いてレーザビームプリンタのプリントシーケンスタイミングについて説明する。
【００３６】
先ず、ホストから画像形成装置に対し、プリント信号５０がアクティブとなると、画像形成装置の制御ＣＰＵは、給紙、搬送モータをＯＮ（＝“Ｈ”）５１、画像形成を司るドラムモータをＯＮ５５、ポリゴンモータをＯＮ５６させるとともに、搬送ローラの駆動連結を行うためのクラッチをＯＮさせる５４。
【００３７】
次に、ポリゴンモータの回転数が所定回転数範囲に達すると速度制御ロック信号であるＤ＿ｒｅａｄｙ  信号がＯＮし５７、続いてＰＬＬ制御ロック信号であるＰＬＬ＿ｒｅａｄｙ  信号がＯＮとなる５８。
【００３８】
このとき、図２で説明したプリントモード指定において、例えば、画質優先モードであると、ＰＬＬ＿ｒｅａｄｙ  信号がＯＮとなるタイミングでポリゴンモータレディ信号がアクティブとなる５９。
【００３９】
一方、ファーストプリントアウトタイム優先モードである場合には、Ｄ＿ｒｅａｄｙ  信号がＯＮとなるタイミングでポリゴンモータレディ信号がアクティブとなる。
【００４０】
次に、ポリゴンモータがレディとなるタイミングを見計らい、記録紙を給紙すべく給紙ソレノイドをＯＮさせ５２、画像形成動作を開始する６０。
【００４１】
給紙された記録紙が所定位置まで到達すると、予め備えられたＴＯＰセンサに記録紙先端が到達する５３と同時に、一旦クラッチをＯＦＦして、ドラム上に形成された画像が記録紙上の所定位置より転写されるようタイミングを計って、再びクラッチをＯＮさせて記録紙の搬送を行い記録紙上に画像を形成して一連の画像形成シーケンスが終了する。
【００４２】
画像形成タイミングは、ポリゴンモータのレディタイミングによって決定されるために特に１枚目のプリント時間は、ポリゴンモータのレディタイミングによって大きく左右される。
【００４３】
又、複数のポリゴンモータを備えたカラーレーザビームプリンタにおいて、各色ごとポリゴンのミラー面の位相を合わせて制御しないと、ポリゴンのミラー面分、つまり最大１ライン分の色ずれが発生する。例えば、６００ｄｐｉの解像度で画像形成するレーザビームプリンタでは、４２．２μｍもの色ずれが発生することになる。
【００４４】
以上説明したように本実施の形態では、画質優先モードにおいては、ポリゴンモータの位相制御ロックを待って画像形成を開始し、画質を優先としない、つまり最悪１ライン分の色ずれが発生しても構わず、むしろファーストプリントアウトタイムを優先するモードである場合は、ポリゴンモータの位相制御ロックを待たずして速度制御ロックタイミングより画像形成を開始させる。
【００４５】
このことによって、例えば、ユーザがホストコンピュータより設定したプリントモードに応じて動作が選択できるといった利点を有する。
【００４６】
＜実施の形態２＞
図４は本発明の実施の形態２における画像形成装置である。
【００４７】
図中、７０は画像形成装置、７１は操作パネル、７２は操作パネルが備えるディスプレイ、７３はキースイッチである。
【００４８】
操作パネルを備えた画像形成装置においては、ユーザが任意にプリントモードを設定できる。例えば、操作パネルの設定メニュー内に“画質優先モード”と“ファーストプリントアウトタイム優先モード”の切り換えを可能とすることにより、実施の形態１と同様に画質優先モードにおいては、ポリゴンモータの位相制御ロックを待って画像形成を開始し、画質を優先としない、ファーストプリントアウトタイムを優先するモードである場合は、ポリゴンモータの位相制御ロックを待たずして、速度制御ロックタイミングより画像形成を開始させることを特徴とする。
【００４９】
＜実施の形態３＞
図５は本発明の実施の形態３におけるポリゴンモータ制御ブロック及びポリゴンモータ回路ブロック図である。
【００５０】
図中、３１〜４２は実施の形態１と同じであるので説明は省略する。
【００５１】
１０は水平同期信号である／ＢＤ信号、２２はプリントモード信号である。又、１００はＣＰＵ又はＤＳＰ（ディジタルシグナルプロセッサ）である。
【００５２】
本実施の形態では、ポリゴンモータの速度制御並びにＰＬＬ制御をＣＰＵ又はＤＳＰによるソフトウエア制御手段によって実現したことを特徴とする。
【００５３】
速度制御ロック状態或はＰＬＬ制御ロック状態は、ソフトウエアによる制御プログラム内で認識するため、特に画像形成装置を１つのＣＰＵ或はＤＳＰによって一括して制御する場合において有効である。
【００５４】
又、チャージポンプ回路３３、チャジ電流設定抵抗３４、積分回路３５、ＰＷＭコンパレータ３６を用いず、ＣＰＵ又はＤＳＰによるソフトウエア制御手段によって制御することも容易に実現可能である。つまり、ソフトウエア制御手段によってサーボ演算を行い、ポリゴンモータの制御信号としてＰＷＭ信号を生成させてドライバ回路３７を直接ＰＷＭ駆動させる。
【００５５】
これによって、周辺回路が簡略でき、画像形成装置のトータルシステムコストが低減できる効果が期待できる。
【００５６】
＜実施の形態４＞
図６は本発明の実施の形態４における画像形成装置を示した図である。
【００５７】
本画像形成装置は、２つの給紙口を図のように備えている。
【００５８】
図中、２００は１段目の給紙カセット、２０１は２段目の給紙カセット、２０２〜２０５は画像形成手段であり、２０２はイエロー、２０３はマゼンタ、２０４はシアン、２０５はブラックのステーションを示し、各々感光ドラム及びトナー現像器及び図示しないレーザビームを感光ドラムに照射するポリゴンモータを含むユニットを備える。２０６は定着器で給紙、搬送された記録紙上に転写されたトナー画像を定着する。
【００５９】
本画像形成装置においては、１段目のカセットからイエローのステーションまでの搬送距離よりも、２段目のカセットからイエローのステーションまでの搬送距離が長い。
【００６０】
本実施の形態では、１段目のカセットから給紙する場合においては、ポリゴンモータの位相制御ロックを待って画像形成を開始し、２段目のカセットから給紙する場合においては、ポリゴンモータの位相制御ロックを待たずして、速度制御ロックタイミングより画像形成を開始させる。
【００６１】
このことによって、各給紙口から給紙してもファーストプリントアウトタイムを同じくでき、又、２段目の給紙カセットから給紙した場合において、給紙タイミング或は給紙速度を速める必要がなくなって制御の簡易化が図られる。
【００６２】
又、予め給紙口に対応して、画質優先モード、ファーストプリントアウトタイム優先モードが設定されていれば、ユーザにとってマニュアルで設定する煩わしさは解消できる効果がある。
【００６３】
＜実施の形態５＞
図７は本発明の実施の形態５における画像形成装置を示した図である。
【００６４】
図中、２００は給紙カセット、２０２〜２０６は実施の形態４と同じであるので説明を省略する。
【００６５】
２０７は記録紙判別センサで、給紙する前の記録紙の表面平滑性を検出して記録紙判別を行う。
【００６６】
記録紙の表面平滑性の判別方法については、例えば、特開平１１−２７１０３７号において提案されているように記録材の表面画像をＣＣＤセンサによって撮像し、この情報をフラクタル次元情報に変換して記録材の表面平滑度を検出する方式が提案されている。
【００６７】
このようなセンサについて概略を簡単に説明する。
【００６８】
図８において、３０は記録紙判別センサであり、光照射手段であるＬＥＤ３３、読取手段であるＣＭＯＳセンサ或はＣＣＤセンサ３４、結像レンズ３５、集光レンズ３６等を有している。３１は搬送ガイドである。
【００６９】
ＬＥＤ３３を光源とする光は、レンズ３５を介して記録紙３２表面に対して照射される。
【００７０】
記録紙３２からの反射光は、レンズ３６を介し集光されてＣＭＯＳセンサ或はＣＣＤセンサ３４に結像される。これによって、記録紙３２の表面映像を読み取る。
【００７１】
図９は８×８画素を備えた記録紙判別センサ３０によって読み取られる数種類の記録紙の表面映像を示した図である。
【００７２】
図中、４０の記録材Ａは、表面の的紙の繊維が比較的がさついている、所謂ラフ紙、４１の記録材Ｂは、一般に使用される、所謂普通紙、４２の記録材Ｃはグロス紙と言われ、紙の繊維の圧縮が十分になされている記録材の表面拡大画像である。
【００７３】
このように、記録紙判別センサ３０は、記録紙の表面平滑性を検出して記録紙の種類を判別できる。
【００７４】
この記録紙判別センサの結果、例えば、画質を優先しても余り画質向上が期待できないラフ紙等にプリントする場合においては、ファーストプリントアウトタイム優先モードとし、普通紙及びグロス紙等においては、画質優先モードとする。
【００７５】
このように、本実施の形態では、記録紙の種類を判別するセンサを備えた画像形成装置において、記録紙の種類に応じてプリントモードを判断し、その結果、実施の形態１と同様に画質優先モードにおいては、ポリゴンモータの位相制御ロックを待って画像形成を開始し、画質を優先としない、ファーストプリントアウトタイムを優先するモードである場合は、ポリゴンモータの位相制御ロックを待たずして、速度制御ロックタイミングより画像形成を開始させることを特徴とする。
【００７６】
【発明の効果】
以上の説明で明らかなように、本発明によれば、画像信号によって変調されたレーザビームで感光体上を走査して画像を形成する画像形成手段と、前記レーザビームを走査するためのポリゴンミラーを回転駆動するポリゴンモータと、ポリゴンミラーにより走査されるビームの走査線上に配した水平同期信号発生手段と、水平同期信号の間隔が所定時間範囲となるよう制御するポリゴンモータ速度制御手段と、前記速度制御手段による回転速度が所定範囲にある場合に出力される速度ロック信号と、基準クロックを発生させる基準クロック発生手段と、水平同期信号が基準クロックに対し所定位相範囲となるよう制御するポリゴンモータ位相制御手段と、前記位相制御手段による位相が所定範囲にある場合に出力される位相ロック信号とを有する画像形成装置において、ポリゴンモータのレディ状態の判定を、画像形成装置のプリントモードに応じて、ポリゴンモータの速度ロック信号によって判断するか、或はポリゴンモータの位相ロック信号によって判断するかを決定する。
【００７７】
又、前記プリントモードの設定は、ユーザによってホストコンピュータ或は画像形成装置が備える操作パネルより設定可能とする。或は、前記プリントモードの設定は、画像形成装置が備える給紙口に応じて決定する。或は、前記プリントモードの設定は、画像形成装置が備える記録紙判別手段の結果から決定する。
【００７８】
これにより、色ずれが多少悪化してもプリントアウトタイムを優先するモードと、プリントアウトタイムよりも画質を優先するモードがユーザの目的に応じて自由に選択できる。
【００７９】
又、画像形成装置が自動で判断し決定することによって、画像形成装置トータルコストの低減及びユーザフレンドリなる画像形成装置を提供できる効果がある。
【図面の簡単な説明】
【図１】本発明の実施の形態１におけるポリゴンモータ制御ブロック図である。
【図２】ポリゴンモータ回路ブロック図である。
【図３】プリントシーケンス図である。
【図４】本発明の実施の形態２に係る画像形成装置の斜視図である。
【図５】本発明の実施の形態３におけるポリゴンモータ制御ブロック図である。
【図６】本発明の実施の形態４における画像形成装置要部の構成図である。
【図７】本発明の実施の形態５における画像形成装置要部の構成図である。
【図８】記録紙判別手段の構成を示す断面図である。
【図９】記録紙判別結果を示す図である。
【符号の説明】
１０        ／ＢＤ信号
１１        波形成形回路
１２        クロック信号
１３        速度ディスクリ回路
１４        分周回路
１５        ＰＬＬ回路
１６        ＰＬＬ回路のゲイン設定
１７        加速及び減速信号生成回路
１８，１９  信号
【図１】
2004306448.tif 000003
【図２】
2004306448.tif 000004
【図３】
2004306448.tif 000005
【図４】
2004306448.tif 000006
【図５】
2004306448.tif 000007
【図６】
2004306448.tif 000008
【図７】
2004306448.tif 000009
【図８】
2004306448.tif 000010
【図９】
2004306448.tif 000011